(57)【要約】【課題】すっきりとした設置状態が得られ、しかもミラーキャビネットを外さなくても水栓のみを取り換え可能な洗面化粧台を提供する。【解決手段】洗面ボウル３のバックガード部３ｂの上端側中央部前面に、吐水口８ｃまたはハンドル８ｂを含む水栓装置８をベースプレート９を介在させて着脱可能に取り付けるとともに、ミラーキャビネット４の下端から垂設されたラック部６またはスイッチコンセント部７を、ベースプレート９と下端を揃えて水栓装置８の左右側に配置し、水栓装置８とラック部６とスイッチコンセント部７を、横方向に延びる１枚のスイッチパネル１４で覆蓋する。【選択図】図３
2010057753.tif 000002
【特許請求の範囲】
【請求項１】
洗面ボウルのバックガード部の上端側中央部前面に、吐水口またはハンドルを含む水栓装置をベースプレートを介在させて着脱可能に取り付けるとともに、
ミラーキャビネットの下端から垂設されたラック部またはスイッチコンセント部を、前記ベースプレートと下端を揃えて前記水栓装置の左右側に配置した
ことを特徴とする洗面化粧台。
【請求項２】
前記水栓装置とラック部とスイッチコンセント部を、横方向に延びる着脱可能な１枚のスイッチパネルで覆蓋した
ことを特徴とする請求項１に記載の洗面化粧台。
【請求項３】
前記水栓装置の吐水口に繋がる引き出し可能なホース部を、前記洗面ボウルのバックガード部の裏側に収納した
ことを特徴とする請求項１または請求項２に記載の洗面化粧台。
【発明の詳細な説明】
【技術分野】
【０００１】
本発明は、すっきりとした外観を呈する洗面化粧台に関するものである。
【背景技術】
【０００２】
従来、この種の洗面化粧台として、例えば特許文献１に開示されているようなものが存在する。
この特許文献１の洗面化粧台では、下部キャビネットを部屋の壁に沿って配置し、下部キャビネットに洗面ボウルを取り付け、次いで、水栓装置ボックスを洗面ボウルの後周壁の上面の上に載せて、水栓装置ボックスを壁にネジで固定し、次いで、ミラーキャビネットの左脚部および右脚部をそれぞれ、洗面ボウルの後左壁および後右壁の上面の上に配置し、ミラーキャビネットを壁に固定し、次いで、前面パネルを水栓装置ボックスに取り付けて設置するものとしている。
【特許文献１】特開２００８−１２５６３４号公報
【発明の開示】
【発明が解決しようとする課題】
【０００３】
上記特許文献１に開示されている洗面化粧台では、洗面ボウルの後周壁の上面とミラーキャビネットの下面との間に水栓装置ボックスが配置されて、水栓装置ボックスは壁にネジで固定されるものであり、水栓装置ボックスは外しにくく、水栓のみを交換したい場合でも、洗面化粧台全体の交換となってしまうという問題点があった。
しかも、水栓装置ボックスの上面と下面に当接するミラーキャビネットの下端および洗面ボウルの後周面の上面間にそれぞれシールを施す必要があり、設置に手間がかかるという問題点があった。
【課題を解決するための手段】
【０００４】
本発明は、極めてすっきりとした外観を呈して設置でき、しかも水栓装置のみの交換が容易となる洗面化粧台の提供を目的とし、この目的の少なくとも一部を達成するために以下の手段を採った。
本発明の洗面化粧台は、洗面ボウルのバックガード部の上端側中央部前面に、吐水口またはハンドルを含む水栓装置をベースプレートを介在させて着脱可能に取り付けるとともに、ミラーキャビネットの下端から垂設されたラック部またはスイッチコンセント部を、前記ベースプレートと下端を揃えて前記水栓装置の左右側に配置したことを要旨とする。
【発明の効果】
【０００５】
本発明の洗面化粧台では、洗面ボウルのバックガード部の上端側中央部前面に水栓装置をベースプレートを介在させて着脱可能に取り付けるものであり、ミラーキャビネットを外さなくても、ベースプレートとともに水栓装置を外して、水栓装置の取り換えを容易に行うことができるものとなる。
また、止水個所は、ミラーキャビネットの下端と洗面ボウルのバックガード部の上端との間だけで良く、設置施工も容易なものとなる。
【０００６】
また、本発明の洗面化粧台において、前記水栓装置とラック部とスイッチコンセント部を、横方向に延びる着脱可能な１枚のスイッチパネルで覆蓋した構造とすることもできる。
こうすれば、１枚のスイッチパネルで水栓装置とラック部とスイッチコンセント部を覆蓋できて、すっきりとしたシンプルな外観を呈する洗面化粧台を得ることができる。
【０００７】
また、本発明の洗面化粧台において、前記水栓装置の吐水口に繋がる引き出し可能なホース部を、前記洗面ボウルのバックガード部の裏側に収納した構成とすることもできる。
こうすれば、水栓装置の内部にホース部を収納させるスペースを設ける必要がなく、水栓装置全体の高さ寸法を小さくでき、スイッチパネルの高さ寸法も小さく設定できるため、ミラーキャビネットのミラーの下端位置を低く設定することができるものとなる。
【発明を実施するための最良の形態】
【０００８】
次に、本発明を実施するための最良の形態を実施例を用いて説明する。
図１は、洗面化粧台の設置状態の斜視構成図であり、図２は、設置状態の側面構成図である。また図３は、洗面化粧台の分解斜視図であり、図４は、分解状態の正面構成図であり、図５は、分解状態の側面構成図である。
【０００９】
洗面化粧台１は、下部キャビネット２の上面に洗面ボウル３が載置されており、この洗面ボウル３のバックガード部３ｂ上に、ミラーキャビネット４が設置されて構成されている。
洗面ボウル３は、ボウル部３ａの底側中央部に、排水栓１１を備えた排水孔３ｃが設けられ、ボウル部３ａの後面に上方へ立ち上げてバックガード部３ｂが一体形成されたものである。この洗面ボウル３のバックガード部３ｂの上端側中央部前面に、ベースプレート９を介在させて着脱可能に水栓装置８が取り付けられる。
【００１０】
なお、ミラーキャビネット４の収納部４ａの前面中央部にはメインミラー４ｂが設けられており、このメインミラー４ｂの左右側にそれぞれサイドミラー４ｃ，４ｃが設けられている。また、ミラーキャビネット４の上端側には、横方向に延びる照明ランプ５が設けられている。
また、ミラーキャビネット４の下端の左右側には、下方へ向かって垂下状にラック部（システムラック）６とスイッチコンセント部７が設けられている。
ミラーキャビネット４の下端の左側に垂設されているラック部６は、時計，カップホルダー，ウエットパレット，網棚等を引っ掛けて使用できるシステムラックで構成されている。また、ミラーキャビネット４の下端の図示右側に垂設されているスイッチコンセント部７の前面には、図示左側から右側に向かって照明スイッチ７ａ，曇り止めスイッチ７ｂ，コンセント７ｃが設けられている。
【００１１】
洗面化粧台１は現場において、下部キャビネット２上に洗面ボウル３を載置し、この洗面ボウル３に対し、上方側からミラーキャビネット４を下降させて、バックガード部３ｂの上端とミラーキャビネット４の下端を当接させて止水処理することで、バックガード部３ｂ上にミラーキャビネット４が連結される。
この状態では、洗面ボウル３のバックガード部３ｂに取り付けた水栓装置８の左側にラック部６が配置され、水栓装置８の図示右側にはスイッチコンセント部７が配置され、水栓装置８のベースプレート９の下端とラック部６およびスイッチコンセント部７の下端が面一状に揃うように構成されている。
【００１２】
このように、ラック部６と水栓装置８とスイッチコンセント部７が横一列状に下端を揃えて、すっきりとした状態で配置され、このラック部６，水栓装置８，スイッチコンセント部７の前面に、横方向に延びる１枚状のスイッチパネル１４が着脱可能に嵌め込まれて、スイッチパネル１４により、ラック部６，水栓装置８，スイッチコンセント部７がすっきりとした外観を呈して図１のように隠蔽されるものである。
【００１３】
なお、水栓装置８が取り付けられる洗面ボウル３のバックガード部３ｂには、図７に示すように、上端側に横長状のホースガイド通し孔３ｄが貫通形成されており、このホースガイド通し孔３ｄの左右側にそれぞれビス孔３ｅ，３ｅが貫通形成されている。また、右側のビス孔３ｅの図示右側には、水栓取付孔３ｆが貫通形成されている。
【００１４】
この水栓取付孔３ｆには、図８に示すように、ハンドル８ｂを備えた水栓本体８ａが取り付けられる。この取付状態は図９の拡大側面図で示す。
水栓本体８ａの前部を水栓取付孔３ｆの裏側から挿通させて、バックガード部３ｂの表側から袋ナット１２を締め付けて、強固に水栓本体８ａを水栓取付孔３ｆにぐらつくことなく固定することができ、固定状態では、バックガード部３ｂの前面には垂下状にハンドル８ｂが露出される。
【００１５】
次に、図１０に示すように、吐水口８ｃと、吐水口８ｃに繋がるホースガイド８ｄ内に通されたホース部８ｅを、ベースプレート９とともに、ビス孔３ｅ，３ｅ内に前面側からビス１３を締め付けて取り付ける。
【００１６】
このベースプレート９は、図１１に概略断面拡大図で示すように、水平な受け板部９ａの前端に立ち上げ状に前板部９ｂが形成され、受け板部９ａの後端側には立ち上げて立上片９ｃが形成され、立上片９ｃの上端側に、ビス孔３ｅ，３ｅと整合する位置にビス孔９ｄ，９ｄが形成されたものである。
このベースプレート９の受け板部９ａから、吐水口８ｃが下向きに設けられ、受け板部９ａ上にホースガイド部８ｄが配置されるものであり、バックガード部３ｂに形成されているホースガイド通し孔３ｄ内に前面側からホース部８ｅおよびホースガイド部８ｄを裏側へ通して、ベースプレート９の左右のビス孔９ｄ，９ｄ内に前面側からビス１３，１３を通し、ビス１３をそれぞれバックガード部３ｂのビス孔３ｅに締め付けて、ビス１３，１３を介してバックガード部３ｂの前面にベースプレート９の立上片９ｃを固定する。
このようにして、ベースプレート９を介在させて吐水口８ｃ，ホースガイド８ｄ等を含む水栓装置８を、洗面ボウル３のバックガード部３ｂに着脱可能に取り付けることができる。このベースプレート９が取り付けられた状態では、ベースプレート９の右端側から前記ハンドル８ｂが垂下状に配置される。
【００１７】
なお、ホースガイド８ｄ内に収納されているホース部８ｅは、洗面ボウルのバックガード部３ｂの裏側に収納され、さらにホース部８ｅは下部キャビネット２内に垂れ下げられて、下部キャビネット２内に設置されている導管部８ｆに接続されるものであり、導管部８ｆは水栓本体８ａに接続されて、水栓本体８ａに湯水を供給するものである。
このようにホース部８ｅはバックガード部３ｂの裏側に隠蔽状態で収納され、必要に応じ、吐水口８ｃを下方側へ引き出すと、このホース部８ｅが徐々にバックガード部３ｂの前面側に引き出されるように構成されている。
【００１８】
このように、ベースプレート９を介して水栓装置８を着脱可能に洗面ボウル３のバックガード部３ｂの中央部前面に取り付けておき、この洗面ボウル３のバックガード部３ｂに対し、上方側からミラーキャビネット４を下方へ移動させて、ミラーキャビネット４の下端をバックガード部３ｂの上端に当接させて、このバックガード部３ｂの上端とミラーキャビネット４の下端間をシールして止水することができる。
この図２の状態では、バックガード部３ｂの上端はラック部６およびスイッチコンセント部７の裏側の挿入空間Ｓ内に嵌まり込むこととなり、洗面ボウル３のバックガード部３ｂの上端の左側前面にはラック部６が配置され、バックガード部３ｂの上端の右側前面にはスイッチコンセント部７が配置されることとなり、バックガード部３ｂの上端側中央部前面に取り付けられている水栓装置８の左側にはラック部６が、右側にはスイッチコンセント部７が横一列状に下端が揃った状態で配置されることとなる。
【００１９】
この状態は図６に示し、この横一列に配置されたラック部６，水栓装置８，スイッチコンセント部７に対し、前面から着脱可能にスイッチパネル１４が取り付けられる。
スイッチパネル１４の取付状態では、図１に示すように、スイッチパネル１４の下端側から水栓装置のハンドル８ｂと吐水口８ｃが露出し、また、吐水口８ｃの左側には垂下状にポップアップ操作部１０が露出する。
このポップアップ操作部１０もベースプレート９に取り付けられており、ポップアップ操作部１０には図示しないレリースが連結されて、レリースはバックガード部３ｂの裏側を通り、洗面ボウル３の排水口３ｃに設けられている排水栓１１に接続され、ポップアップ操作部１０を操作することで排水栓１１を上下方向に移動させて、排水口３ｃを開閉操作することができる。
【００２０】
このように本例の洗面化粧台では、洗面ボウル３のバックガード部３ｂの上端側中央部前面に、吐水口８ｃ，ハンドル８ｂを含む水栓装置８をベースプレート９を介在させて着脱可能に取り付け、ミラーキャビネット４の下端から垂設されたラック部６とスイッチコンセント部７を、ベースプレート９と下端を揃えて水栓装置８の左右側に配置したものであるため、ミラーキャビネット４を外さなくても、ベースプレート９とともに水栓装置８を取り外すことができ、水栓装置８のみを取り換えて交換することができるものとなる。
【００２１】
また、設置時の止水個所は、ミラーキャビネット４の下端と洗面ボウル３のバックガード部３ｂの上端との間だけであり、止水処理も容易かつ確実に行えるものである。
また、ラック部６，水栓装置８，スイッチコンセント部７は、１枚のスイッチパネル１４を被せることで隠蔽され、設置状態の外観形状が極めてすっきりとしたシンプルなものとなり、洗面化粧台の意匠性が向上する。
また、水栓装置のホース部８ｅは、洗面ボウル３のバックガード部３ｂの裏側に収納させることができるため、このホース部８ｅを収納させるために水栓装置８の高さ寸法を大きく設定する必要がなく、水栓装置８の高さ寸法は極めて小さく設定することができ、そのため、ミラーキャビネット４のメインミラー４ｂおよびサイドミラー４ｃ，４ｃの下端位置を低い位置に設定することができるものとなる。
【図面の簡単な説明】
【００２２】
【図１】洗面化粧台の設置状態の斜視構成図である。
【図２】洗面化粧台の設置状態の側面構成図である。
【図３】洗面化粧台の分解斜視構成図である。
【図４】洗面化粧台の分解正面構成図である。
【図５】洗面化粧台の分解側面構成図である。
【図６】洗面ボウルとミラーキャビネットとの接続状態の斜視構成図である。
【図７】洗面ボウルの斜視構成図である。
【図８】洗面ボウルのバックガード部に水栓本体を取り付けた状態の斜視図である。
【図９】水栓本体およびハンドルのバックガード部への取付状態の拡大側面図である。
【図１０】さらにベースプレートを介在させて吐水口を含む水栓装置を洗面ボウルのバックガード部に取り付けた状態の斜視構成図である。
【図１１】ベースプレートのバックガード部への取付状態の拡大概略構成図である。
【符号の説明】
【００２３】
１  洗面化粧台
２  下部キャビネット
３  洗面ボウル
３ａ  ボウル部
３ｂ  バックガード部
３ｃ  排水孔
３ｄ  ホースガイド通し孔
３ｅ  ビス孔
３ｆ  水栓取付孔
４  ミラーキャビネット
４ａ  収納部
４ｂ  メインミラー
４ｃ  サイドミラー
５  照明ランプ
６  ラック部（システムラック）
７  スイッチコンセント部
８  水栓装置
８ａ  水栓本体
８ｂ  ハンドル
８ｃ  吐水口
８ｄ  ホースガイド
８ｅ  ホース部
９  ベースプレート
９ａ  受け板部
９ｃ  立上片
９ｄ  ビス孔
１０  ポップアップ操作部
１１  排水栓
１２  袋ナット
１３  ビス
１４  スイッチパネル
【図１】
2010057753.tif 000003
【図２】
2010057753.tif 000004
【図３】
2010057753.tif 000005
【図４】
2010057753.tif 000006
【図５】
2010057753.tif 000007
【図６】
2010057753.tif 000008
【図７】
2010057753.tif 000009
【図８】
2010057753.tif 000010
【図９】
2010057753.tif 000011
【図１０】
2010057753.tif 000012
【図１１】
2010057753.tif 000013